(57)【要約】【課題】簡単な構成で支柱鋼管の風圧による横回転を防止するとともに自重による沈下を防止可能な支柱の風圧横回転及び沈下防止構造を提供する。【解決手段】鋼管１が地中に埋設される。鋼管１は地上の支柱鋼管下端のフランジを連結固定するためのフランジ２を上端に有する。フランジ２の下面に下方突片３が固定される。鋼管１の横方向所定位置に補助杭４が埋設される。補助杭４の上端付近側面に側方突片５が固定される。下方突片３と側方突片５とに回転防止材６が固定される。回転防止材６に回転防止材６より水平方向に広がるよう沈下防止板７が固定されてなる。【選択図】図１
0003210102.tif 000002
【実用新案登録請求の範囲】
【請求項１】
鋼管（１）が地中に埋設され、
前記鋼管（１）は地上の支柱鋼管下端のフランジを連結固定するためのフランジ（２）を上端に有し、
前記フランジ（２）の下面に下方突片（３）が固定され、
前記鋼管（１）の横方向所定位置に補助杭（４）が埋設され、
前記補助杭（４）の上端付近側面に側方突片（５）が固定され、
前記下方突片（３）と前記側方突片（５）とに回転防止材（６）が固定され、
前記回転防止材（６）に前記回転防止材（６）より水平方向に広がるよう沈下防止板（７）が固定されてなることを、
特徴とする支柱の風圧横回転及び沈下防止構造。
【考案の詳細な説明】
【技術分野】
【０００１】
本考案は支柱の風圧横回転及び防止構造に関する。
【背景技術】
【０００２】
従来、照明・信号機・標識柱等の支柱に鋼管が使用されているが、従来の支柱は反復の横風の風圧により回転を生じやすく、また、自重による支柱の沈下を生じやすかった。そのため、予め基礎用鋼管杭をコンクリート打設したり、ボルトが植設されている基礎コンクリート台を設けたりする方法がとられているが、工事が煩雑で工期もかかるので、改善が望まれている。そこで、風圧力による回転及び自重による沈下が生じることに対しては、基礎コンクリートを大きくすることにより対処してきたが、現地状況により対応できない場合があり、また、工期がかかるという問題があった。
【０００３】
その問題に対応して、埋設部材にＨ型鋼を使用し、その回転やねじれを予防してＨ型鋼の上部側面に抵抗板を取り付けたものがある。しかし、この技術でも、沈下に対しては効果がなく、回転に対しても充分に対応できるものではなかった。
【０００４】
他の技術では、照明器具用ポールの組立方法が開示されている（特許文献１参照）。その技術では、地中に埋込まれるパイプ状の埋設部材と地上に突出する二段連結パイプによるポール部材とが分離されていて、現場にてポール部材と埋設部材とが基板を介し蝶番連結により組立てられる。ポール部材は可倒式になっていて、照明器具の補修点検のため、ポール部材を根元より蝶番を介し手で倒すことができる。地中に打設される鋼管と地上に建柱される鋼管は分離されており、ボルト接合により組み立てられるようになっている。
【先行技術文献】
【特許文献】
【０００５】
【特許文献１】特開昭５３−１９８０号公報
【考案の概要】
【考案が解決しようとする課題】
【０００６】
しかしながら、特許文献１に記載の技術では、パイプ状の埋設部材は風圧により回転しやすく、ポール部材も回転するので、照明箇所が変化しやすく補修が頻繁に生じるという課題があった。また、上部鋼管の自重による沈下の問題も生じやすいという課題があった。
【０００７】
本考案は、このような課題に着目してなされたもので、簡単な構成で支柱鋼管の風圧による横回転を防止するとともに自重による沈下を防止可能な支柱の風圧横回転及び沈下防止構造を提供することを目的とする。
【課題を解決するための手段】
【０００８】
上記目的を達成するために、本考案に係る支柱の風圧横回転及び沈下防止構造は、鋼管（１）が地中に埋設され、前記鋼管（１）は地上の支柱鋼管下端のフランジを連結固定するためのフランジ（２）を上端に有し、前記フランジ（２）の下面に下方突片（３）が固定され、前記鋼管（１）の横方向所定位置に補助杭（４）が埋設され、前記補助杭（４）の上端付近側面に側方突片（５）が固定され、前記下方突片（３）と前記側方突片（５）とに回転防止材（６）が固定され、前記回転防止材（６）に前記回転防止材（６）より水平方向に広がるよう沈下防止板（７）が固定されてなることを、特徴とする。
【０００９】
本考案に係る支柱の風圧横回転及び沈下防止構造は、地上の支柱鋼管下端のフランジが鋼管（１）のフランジ（２）に連結固定され、フランジ（２）の下面の下方突片（３）と補助杭（４）の側方突片（５）とに回転防止材（６）が固定されるので、簡単な構成で支柱鋼管の風圧による横回転を防止することができる。また、回転防止材（６）に回転防止材（６）より水平方向に広がる沈下防止板（７）が固定されるので、簡単な構成で自重による沈下を防止することができる。単純な作業により短期間の工期でおこなうことができ、経済的である。
【考案の効果】
【００１０】
本考案によれば、簡単な構成で支柱鋼管の風圧による横回転を防止するとともに自重による沈下を防止可能な支柱の風圧横回転及び沈下防止構造を提供することができる。
【図面の簡単な説明】
【００１１】
【図１】本考案の実施の形態の、支柱の風圧横回転及び沈下防止構造を示す（Ａ）平面図、（Ｂ）正面図である。
【考案を実施するための形態】
【００１２】
以下、図面に基づき本考案の実施の形態について説明する。
図１は、本考案の実施の形態の、支柱の風圧横回転及び沈下防止構造を示している。
本考案を実施するにあたり、埋設用丸形鋼管１の埋設をおこなう必要がある。それは、たとえば、以下の方法によりおこなう。まず、図１に示す、上端にフランジ２を有する埋設用丸形鋼管１に対し、下端にフランジを有する補助鋼管を、フランジを介して連結固定する。次に、オーガロッドの螺旋状の刃があるスクリュー軸の下方に両鋼管が配置されるよう位置決めし、かつ螺旋状の刃と埋設用丸形鋼管との間隙を小にし、尖鋭にした先端部と先端付近の掻き取り片とを両鋼管に内挿する。
【００１３】
補助鋼管からオーガロッドの回転軸を突出させ、補助鋼管とオーガロッドとを回転上一体化させる。そして、建柱車によりオーガロッドの上端部分を回転押圧して、埋設用丸形鋼管を所定の深さに埋設する。その後、オーガロッドを逆回転させて引き抜き、補助鋼管を埋設用丸形鋼管１から引き離す。
【００１４】
このようにして埋設された埋設用丸形鋼管１から横方向に所定間隔離れた位置に、丸形鋼管からなる補助杭４を丸形鋼管１と平行になるよう適宜深さで埋設する。埋設用丸形鋼管１上端のフランジ２の下面には、下方突片３が固定されている。補助杭４の上端付近の側面には、側方突片５が固定されている。下方突片３と側方突片５とに回転防止材６の左右両端をそれぞれボルト、ナットで固定する。回転防止材６は、Ｃ型鋼を背中合わせにして固定したものを使用することにより、強度が付与されている。
【００１５】
回転防止材６の上部に、回転防止材６より水平方向に広がるよう長方形平板状の沈下防止板７を固定する。沈下防止板７の幅は、たとえば、回転防止材６の幅の４〜５倍である。こうして、支柱の風圧横回転及び沈下防止構造が施工される。最後に、埋設用丸形鋼管１のフランジ２に対し、地上に突出する支柱鋼管の下端のフランジを一体に連結する。
【００１６】
こうして施工された支柱の風圧横回転及び沈下防止構造は、地上の支柱鋼管下端のフランジが鋼管１のフランジ２に連結固定され、フランジ２の下面の下方突片３と補助杭４の側方突片５とに回転防止材６が固定されるので、簡単な構成で支柱鋼管の風圧による横回転を防止することができる。また、回転防止材６に、回転防止材６より水平方向に広がる沈下防止板７が固定されるので、簡単な構成で自重による沈下を防止することができる。これにより、単純な作業により短期間の工期でおこなうことができ、経済的である。
【００１７】
なお、沈下防止板７は、長方形平板状のほか、下側が凹むよう湾曲した形状や、平板の周縁部を下側に折り曲げた形状であってもよい。
また、埋設用丸形鋼管１の埋設をおこなう際、オーガロッドにそのスクリュー軸の先端に、内側面に凹溝を形成した碗状体を備えたものを用い、補助鋼管にその外周上端に突条を備えたものを用いて、凹溝と突条とを嵌合させて、補助鋼管とオーガロッドとを回転上一体化させてもよい。
【００１８】
また、補助杭４の埋設をおこなう際には、上記オーガロッドと一体の碗状体の凹溝を補助杭４の頂部に当て、オーガロッドを回転押圧しておこなってもよい。
【００１９】
なお、埋設用丸形鋼管１の上端のフランジ２と地上に突出する支柱鋼管の下端のフランジには、通常、強度を付与するため、平面形状が四角形のものを用い、フランジ面にリブ板を放射状に設けておくとよい。フランジ２の下面の下方突片３も、同様にリブ効果をもたらすことができる。
【産業上の利用可能性】
【００２０】
本考案によれば、地中に丸形鋼管１を埋設し、これに地上で適宜形状の支柱鋼管を連結固定し、補助杭４に丸形鋼管を使用して埋設することができる。これらを利用すれば、支柱の風圧横回転及び沈下防止構造の実施が容易となり、広く普及するものである。
【符号の説明】
【００２１】
１    埋設用丸形鋼管
２    フランジ
３    フランジ下面の下方突片
４    補助杭
５    補助杭上端付近側面の側方突片
６    回転防止材
７    沈下防止板
【図１】
0003210102.tif 000003